(57)【要約】【課題】溶接電流又は溶接電圧の波形によって判別することができない要因に基づくアーク光の強度の変動が生じても、溶接部を常に鮮明に目視することができる保護面ＨＧを提供すること。【解決手段】アーク光から溶接作業者の目を保護する遮光パネルＧＰを装着した保護面ＨＧにおいて、遮光パネルＧＰを透過したアーク光の照度を測定する照度センサＳＤと、この照度の測定値Ｓｄが予め定めた照度設定値と等しくなるように前記遮光パネルＧＰの光透過率を制御する透過率制御部ＧＣと、を備えている。溶接姿勢、溶接進行位置、アーク発生部から保護面までの距離等の溶接電流又は溶接電圧の波形によってその変化を判別することができない要因によってアーク光の強度が変動しても、遮光パネルＧＰを透過した後の照度を所望値に保つことができるので、溶接部を常に鮮明に目視することができる。【選択図】  図１
2014113609.tif 000002
【特許請求の範囲】
【請求項１】
アーク光から溶接作業者の目を保護する遮光パネルを装着した保護面において、
前記遮光パネルを透過したアーク光の照度を測定する照度センサと、この照度の測定値が予め定めた照度設定値と等しくなるように前記遮光パネルの光透過率を制御する透過率制御部と、を備えたことを特徴とする保護面。
【請求項２】
前記遮光パネルの光透過率に上限値を設けた、ことを特徴とする請求項１記載の保護面。
【請求項３】
請求項１又は２記載の保護面と、電極に給電する溶接トーチと、前記電極と母材との間にアークを発生させる溶接電流及び溶接電圧を出力する溶接電源と、を備えたことを特徴とするアーク溶接装置。
【発明の詳細な説明】
【技術分野】
【０００１】
本発明は、アーク光から溶接作業者の目を保護するために遮光パネルの光透過率を制御する保護面及びこれを備えたアーク溶接装置に関するものである。
【背景技術】
【０００２】
溶接作業者が手動でアーク溶接を行う場合、アーク光から目を保護するために遮光パネルを装着した保護面を使用する。遮光パネルは、光の透過率を小さくしたフィルタであり、この遮光パネルによってアーク発生部を目視で確認しながら溶接を行うことができる。溶接電流の大きさによってアーク光の強度が異なるので、光透過率が異なる複数の遮光パネルを用意しておき、溶接電流値に応じて遮光パネルを取り換えて使用する。アークが点弧するまでは遮光パネルによってほとんど溶接部を見ることはできないので、アークが点弧するまでは保護面を目の前から退避させておき、アークが点弧すると目の前に構えるという煩雑な操作を行う必要がある。
【０００３】
特許文献１の発明は、紫外線センサによってアーク光の発生を検出し、保護メガネ（保護面）の光透過率を変化させるものである。すなわち、紫外線センサがアーク光を検出していないとき（アーク点弧前のとき）は、光透過率を大きくして周囲が目視できるようにしている。そして、紫外線センサがアーク光を検出すると、光透過率が小さくなり暗転し、アーク光を遮光してアーク発生部が目視できるようにしている。光透過率の変化は、液晶パネルによって行う。この液晶パネルに基準以上の電圧を印加すると光透過率が大きくなり、電圧が印加されていないときは光透過率が最小となる。印加する電圧値に応じて光透過率を無段階に調整することができる。
【０００４】
特許文献２の発明は、溶接状態を検出し、この溶接状態に応じて保護シールド（遮光パネル）の光透過率を変化させるものである。すなわち、溶接電流の大きさ、短絡状態又はアーク発生状態のとき、交流アーク溶接の電極プラス極性又は電極マイナス極性のとき、パルスアーク溶接のピーク期間又はベース期間のときに、光透過率を変化させる。これにより、溶接状態を鮮明に目視できるようにしている。
【先行技術文献】
【特許文献】
【０００５】
【特許文献１】特開平２−１５９２７２号公報
【特許文献２】特許第４９６１４２８号公報
【発明の概要】
【発明が解決しようとする課題】
【０００６】
上述した特許文献１では、アーク光が発生すると、保護面の遮光パネルの光透過率が自動的に小さくなるので、溶接作業者の目をアーク光から保護することができる。しかし、この特許文献１では、溶接電流値、アーク発生状態、アーク極性等の溶接状態によってアーク光の強度が変化しても、遮光パネルの光透過率は一定値であるので、溶接部が明る過ぎて目に負担となったり、逆に暗くなり目視しづらくなったりする場合があった。
【０００７】
上述した特許文献２では、溶接状態に適した光透過率に遮光パネルを変化させることができるので、溶接部を常に鮮明に目視することができる。しかし、この特許文献２によって遮光パネルの光透過率を適正化することができる溶接状態は、溶接電流の大小、短絡期間又はアーク期間、パルスアーク溶接のピーク期間又はベース期間、交流アーク溶接の電極プラス極性又は電極マイナス極性等である。すなわち、溶接電流又は溶接電圧の波形から溶接状態を判別することができる場合である。
【０００８】
溶接作業者が手動でアーク溶接を行っているときに、溶接トーチの前進角等の溶接姿勢が変わると、アーク光の強度が変化するために、遮光パネルを透過した後の明るさが変動することになる。溶接の進行位置によっても、遮光パネルに照射されるアーク光の強度は変動する。さらには、アーク発生部と保護面との距離によっても、遮光パネルに照射されるアーク光の強度は変動する。アーク光の強度が変動するこれらの要因は、溶接電流又は溶接電圧の波形によって判別することができないので、遮光パネルの光透過率を適正化できず、溶接部を常に鮮明に目視することができないという問題があった。
【０００９】
そこで、本発明は、溶接電流又は溶接電圧の波形によって判別することができない要因に基づくアーク光の強度の変動が生じても、溶接部を常に鮮明に目視することができる保護面及びアーク溶接装置を提供することを目的とする。
【課題を解決するための手段】
【００１０】
上述した課題を解決するために、請求項１の発明は、アーク光から溶接作業者の目を保護する遮光パネルを装着した保護面において、
前記遮光パネルを透過したアーク光の照度を測定する照度センサと、この照度の測定値が予め定めた照度設定値と等しくなるように前記遮光パネルの光透過率を制御する透過率制御部と、を備えたことを特徴とする保護面である。
【００１１】
請求項２の発明は、前記遮光パネルの光透過率に上限値を設けた、ことを特徴とする請求項１記載の保護面である。
【００１２】
請求項３の発明は、請求項１又は２記載の保護面と、電極に給電する溶接トーチと、前記電極と母材との間にアークを発生させる溶接電流及び溶接電圧を出力する溶接電源と、を備えたことを特徴とするアーク溶接装置である。
【発明の効果】
【００１３】
本発明によれば、溶接姿勢、溶接進行位置、アーク発生部から保護面までの距離等の溶接電流又は溶接電圧の波形によってその変化を判別することができない要因によってアーク光の強度が変動しても、遮光パネルを透過した後の照度を所望値に保つことができる。したがって、本発明では、溶接電流又は溶接電圧の波形によって判別することができない要因に基づくアーク光の強度の変動が生じても、溶接部を常に鮮明に目視することができる保護面及びアーク溶接装置を提供することができる。
【図面の簡単な説明】
【００１４】
【図１】本発明の実施の形態に係る保護面を備えたアーク溶接装置のブロック図である。
【図２】図１のアーク溶接装置の各信号の波形図である。
【発明を実施するための形態】
【００１５】
以下、図面を参照して本発明の実施の形態について説明する。
【００１６】
図１は、本発明の実施の形態に係る保護面を含むアーク溶接装置のブロック図である。同図は、アーク溶接装置が非消耗電極アーク溶接装置の場合であるが、消耗電極アーク溶接装置の場合も同様である。以下、同図を参照して各ブロックについて説明する。
【００１７】
溶接電源ＰＳは、一般的な定電流特性を有する非消耗電極アーク溶接用の溶接電源であり、後述する溶接開始信号ＳｔがＨｉｇｈレベルになると、設定された溶接電流Ｉｗを出力する。
【００１８】
溶接トーチ４の先端に装着されたタングステン等の電極１と母材２との間に溶接電流Ｉｗが通電するアーク３が発生し、溶接電圧Ｖｗが印加する。
【００１９】
トーチスイッチＳＴは、溶接トーチ４に設けられており、溶接作業者がオンするとＨｉｇｈレベルになる溶接開始信号Ｓｔを出力する。この溶接開始信号ＳｔがＨｉｇｈレベルになると、溶接電源ＰＳは起動される。
【００２０】
破線で囲まれた保護面ＨＧは、照度センサＳＤ、透過率制御回路ＧＣ及び遮光パネルＧＰを備えている。保護面ＨＧは、遮光パネルＧＰによってアーク光の光透過率が制限されて、溶接作業者の目をアーク光から保護する。
【００２１】
照度センサＳＤは、遮光パネルＧＰを透過した後の照度を測定して、照度測定信号Ｓｄを出力する。
【００２２】
透過率制御回路ＧＣは、上記の照度測定信号Ｓｄを入力として、照度測定信号Ｓｄの値が予め定めた照度設定値と等しくなるように透過率制御信号Ｇｃを出力する。このときに、透過率制御信号Ｇｃの値に上限値を設けても良い。このようにすれば、遮光パネルＧＰの光透過率に上限値が設けられるので、過渡的に明るくなり過ぎて目に負担をかけることを防止することができる。
【００２３】
遮光パネルＧＰは、上記の透過率制御信号Ｇｃを入力として、透過率制御信号Ｇｃによって定まる光透過率に制御される。遮光パネルＧＰは、従来技術と同様に、印加される電圧値によって光透過率を複数段階に変化させることができる液晶パネルを用いる。
【００２４】
保護面ＨＧは、遮光パネルＧＰを透過した光の照度が照度設定値と等しくなるように、遮光パネルＧＰの光透過率が自動的に変化する。したがって、溶接中に、溶接姿勢、溶接進行位置、アーク発生部から保護面ＨＧまでの距離等が変化してアーク光の強度が変動しても、遮光パネルＧＰを透過した後の明るさを一定に保つことができる。この結果、目への負担をかけることなく、溶接部を常に鮮明に目視することができる。
【００２５】
図２は、図１で上述した保護面ＨＧの各信号の波形図である。同図（Ａ）は溶接電流Ｉｗを示し、同図（Ｂ）は溶接トーチ４の前進角θを示し、同図（Ｃ）は遮光パネルＧＰを透過する前の照度Ｓｐを示し、同図（Ｄ）は透過率制御信号Ｇｃを示し、同図（Ｅ）は照度測定信号Ｓｄを示す。以下、同図を参照して説明する。
【００２６】
溶接電流Ｉｗは、同図（Ａ）に示すように、一定値である。そして、同図（Ｂ）に示すように、前進角θが時間経過に伴って連続的に大きくなる場合である。前進角θが大きくなると、同図（Ｃ）に示すように、遮光パネルＧＰを透過する前の照度Ｓｐは次第に大きくなる。これは、遮光パネルＧＰに照射されるアーク光の強度が大きくなることに対応している。
【００２７】
照度Ｓｐが大きくなると、同図（Ｄ）に示すように、透過率制御信号Ｇｃは次第に小さくなり、光透過率が小さくなる。この結果、同図（Ｅ）に示すように、照度測定信号Ｓｄの値は一定値（照度設定値）となる。このように、アーク光の強度が変動しても、遮光パネルＧＰを透過した後の照度は常に所望値となる。
【００２８】
同図は、溶接姿勢が変化した場合であるが、溶接進行位置、アーク発生部から保護面までの距離等が変化して遮光パネルＧＰに照射されるアーク光の強度が変動した場合も同様である。
【００２９】
上述した実施の形態に係る保護面ＨＧによれば、遮光パネルＧＰを透過したアーク光の照度を測定する照度センサＳＤと、この照度の測定値が予め定めた照度設定値と等しくなるように遮光パネルＧＰの光透過率を制御する透過率制御部ＧＣと、を備えている。これにより、溶接姿勢、溶接進行位置、アーク発生部から保護面までの距離等の溶接電流又は溶接電圧の波形によってその変化を判別することができない要因によってアーク光の強度が変化しても、遮光パネルを透過した後の照度を所望値に保つことができる。したがって、本実施の形態では、溶接電流又は溶接電圧の波形によって判別することができない要因に基づくアーク光の強度の変動が生じても、溶接部を常に鮮明に目視することができる保護面及びアーク溶接装置を提供することができる。
【符号の説明】
【００３０】
１            電極
２            母材
３            アーク
４            溶接トーチ
ＧＣ            透過率制御回路
Ｇｃ            透過率制御信号
ＧＰ            遮光パネル
ＨＧ            保護面
Ｉｗ            溶接電流
ＰＳ            溶接電源
ＳＤ            照度センサ
Ｓｄ            照度測定信号
Ｓｐ            遮光パネルを透過する前の照度
ＳＴ            トーチスイッチ
Ｓｔ            溶接開始信号
Ｖｗ            溶接電圧
θ            前進角
【図１】
2014113609.tif 000003
【図２】
2014113609.tif 000004